(57)【要約】【課題】  携帯電話機の特定機能の制限が求められるエリアにおいて、利用者に対して、携帯電話機の特定機能を制限することを奨励するシステムを提供する。【解決手段】  システムは、提供するサービスの程度を決める基準としてのポイントを決定するポイントサービスシステムであって、携帯電話機と、前記携帯電話機の所定の機能を停止する停止手段と、前記機能が停止した位置である停止位置を記憶する手段と、前記停止手段によって停止した前記機能を起動する起動手段と、前記起動手段によって前記機能を起動した位置である起動位置を記憶する手段と、前記停止位置と前記起動位置とに基づきポイントを定めるポイント決定手段と、前記ポイント決定手段により決定されたポイントと前記携帯電話機とを対応付けて記憶する手段とを備える。【選択図】  図１
2005167736.tif 000002
【特許請求の範囲】
【請求項１】
提供するサービスの程度を決める基準としてのポイントを決定するポイントサービスシステムであって、
携帯電話機と、
前記携帯電話機の所定の機能を停止する停止手段と、
前記機能が停止した位置である停止位置を記憶する手段と、
前記停止手段によって停止した前記機能を起動する起動手段と、
前記起動手段によって前記機能を起動した位置である起動位置を記憶する手段と、
前記停止位置と前記起動位置とに基づきポイントを定めるポイント決定手段と、
前記ポイント決定手段により決定されたポイントと前記携帯電話機とを対応付けて記憶する手段と
を備えることを特徴とするポイントサービスシステム。
【請求項２】
前記ポイントサービスシステムは更に、
前記停止位置から前記起動位置まで移動する間に、携帯電話機の前記機能を停止することが希望される所定エリアに前記携帯電話機が存在したか否かを判断する判断手段を備え、
前記ポイント決定手段は、前記携帯電話機が前記所定エリアに存在したと前記判断手段が判断した場合に、ポイントを定めること
を特徴とする請求項１記載のポイントサービスシステム。
【請求項３】
前記ポイント決定手段は、前記停止位置と前記起動位置との距離に応じて決定され、距離が長い場合は、距離が短い場合に比べ、より多いサービスに対応するポイントを定めること
を特徴とする請求項１記載のポイントサービスシステム。
【請求項４】
前記ポイントサービスシステムは更に、
携帯電話機の所定の機能を停止することが希望される場所に、携帯電話機が入ったことを検知する検知手段を備え、
前記停止手段は、前記検知手段が検知した時から所定時間経過後に前記携帯電話機の前記機能を停止すること
を特徴とする請求項１記載のポイントサービスシステム。
【請求項５】
前記ポイントサービスシステムは更に、
携帯電話機の所定の機能を停止することが希望される場所に、携帯電話機が入ったことを検知する検知手段と、
前記機能を停止する指示を取得する指示取得手段とを備え、
前記停止手段は、前記検知手段が検知した後に、前記指示取得手段により停止指示を受けた場合に前記停止を実行すること
を特徴とする請求項１記載のポイントサービスシステム。
【請求項６】
前記ポイントサービスシステムは更に、
前記携帯電話機に広告情報を送信する手段を備え、
前記ポイント決定手段は、前記広告情報が再生された場合には、再生されなかった場合に比べ、より多いサービスに対応するポイントを定めること
を特徴とする請求項１記載のポイントサービスシステム。
【請求項７】
携帯電話機の所定の機能を停止する停止手段と、
前記機能が停止した位置である停止位置を記憶する手段と、
前記停止手段によって停止した前記機能を起動する起動手段と、
前記停止位置に関する情報を出力する手段と
を備えることを特徴とする携帯電話機。
【請求項８】
記録媒体を有する携帯電話機に機能停止制御を実行させるためのプログラムであって、
携帯電話機の所定の機能を停止する停止ステップと、
前記機能が停止した位置である停止位置を前記記録媒体に記録するステップと、
前記停止ステップによって停止した前記機能を起動する起動ステップと、
前記停止位置に関する情報を出力するステップと
を含むことを特徴とするコンピュータプログラム。
【請求項９】
入力ゲート装置と出力ゲート装置からなるシステムであって、
入力ゲート装置は、携帯電話機が接近したことを検知する検知手段と、
接近を検知した携帯電話機に機能停止に関する指示を送信する手段とを有し、
出力ゲート装置は、携帯電話機が接近したことを検知する検知手段と、
接近を検知した携帯電話機から機能停止の実績に関する情報を受信する手段と、
前記携帯電話機に関する情報を、ポイントを管理するサーバに出力する手段とを有する
ことを特徴とするシステム。
【発明の詳細な説明】
【技術分野】
【０００１】
本発明は、携帯電話機の一部の機能を制限することが希望されるエリアにおける携帯電話機の使用マナーを向上させるために、その機能を制限することが利用者の利益につながる技術に関する。
【背景技術】
【０００２】
現在、特定の場所（列車内、映画館、病院など）において携帯電話機の電源をオフにするなど、他人に悪影響や不快感等を与えないという使用マナーに関しては、携帯電話機の利用者に任されている。
すなわち、構内放送等で案内をすることでマナーの促進を行っているのが現状である。
ここで、携帯電話機のマナー促進に関しては、携帯電話機の通話が制限されるエリアの出入口で、特定の機能、例えば通話機能を制限／解除する技術が提案されている（特許文献１参照）。携帯電話機の特定の機能を制限することが強く求められるエリアに出入する場合は、特定機能を制限／解除することを忘れることがなくなり有効な技術である。
【特許文献１】特開２０００−３２５５７号公報
【発明の開示】
【発明が解決しようとする課題】
【０００３】
しかし、電車の中や、映画館などは、携帯電話機の特定の機能を制限することが求められるエリアではあるが、そのエリアでの滞在時間が長く機能の制限が長時間に及ぶことになる。そのため、強制的に特定の機能を制限すると、緊急時等に甚だ不便であり、また、手動で解除可能とすると、利用者が機能制限を解除してしまうことも考えられる。
そこで、本発明は、携帯電話機の特定機能の制限が求められるエリアにおいて、利用者に対して、携帯電話機の特定機能を制限することを奨励するシステムの提供を目的とする。
【課題を解決するための手段】
【０００４】
上記課題を解決する為に、本発明の携帯電話機ポイントサービスシステムは、提供するサービスの程度を決める基準としてのポイントを決定するポイントサービスシステムであって、携帯電話機と、前記携帯電話機の所定の機能を停止する停止手段と、前記機能が停止した位置である停止位置を記憶する手段と、前記停止手段によって停止した前記機能を起動する起動手段と、前記起動手段によって前記機能を起動した位置である起動位置を記憶する手段と、前記停止位置と前記起動位置とに基づきポイントを定めるポイント決定手段と、前記ポイント決定手段により決定されたポイントと前記携帯電話機とを対応付けて記憶する手段とを備えることを特徴とする。
【発明の効果】
【０００５】
本発明に係る携帯電話機ポイントサービスシステムは、上述の構成を備えることにより、携帯電話機の特定機能を停止することへの対価として、特定機能を停止した位置と起動した位置とに基づいて、サービスポイントを与えることができる。すなわち、乗車中である、観劇中である等の事情に応じて、特定機能を停止した位置と起動した位置との距離、双方の位置が同じであること、双方の位置が同じであった期間等によって、サービスポイントが与えられるので、携帯電話機の利用者は自らの意思によって携帯電話機の特定機能を停止する機会が多くなると考えられる。
【０００６】
従って、携帯電話機の特定機能を停止していた位置が、携帯電話機の特定機能の制限が求められるエリアである場合が増え、結果として、携帯電話機の特定機能の制限が求められるエリアにおける使用マナーの向上が期待できるようになる。
また、前記携帯電話機ポイントサービスシステムは更に、前記停止位置から前記起動位置まで移動する間に、携帯電話機の前記機能を停止することが希望される所定エリアに前記携帯電話機が存在したか否かを判断する判断手段を備え、前記ポイント決定手段は、前記携帯電話機が前記所定エリアに存在したと前記判断手段が判断した場合に、ポイントを定めることとしてもよい。
【０００７】
これにより、携帯電話機の特定機能の制限が求められるエリアにおいて特定機能が停止していた場合にのみ、ポイントが付与されるので、より一層、携帯電話機の特定機能の制限が求められるエリアにおける使用マナーが向上するようになる。
また、前記携帯電話機ポイントサービスシステムの前記ポイント決定手段は、前記停止位置と前記起動位置との距離に応じて決定され、距離が長い場合は、距離が短い場合に比べ、より多いサービスに対応するポイントを定めることとしてもよい。
【０００８】
これにより、携帯電話機の特定機能を停止していた距離が長いほど、よりよいサービスを受けることが出来るポイントが付与されるので、より長い距離を移動する場合であっても特定機能を停止する機会が増えて、使用マナーが向上するようになる。
また、前記携帯電話機ポイントサービスシステムは更に、携帯電話機の所定の機能を停止することが希望される場所に、携帯電話機が入ったことを検知する検知手段を備え、前記停止手段は、前記検知手段が検知した時から所定時間経過後に前記携帯電話機の前記機能を停止することとしてもよい。
【０００９】
これにより、携帯電話機の特定機能の制限が求められるエリアに入ってから所定時間経過後に自動的に特定機能が停止する。したがって、そのエリアに入った時点で特定機能が停止するのではなく、通話を終了する、メールを確認する等を行う猶予が生まれることになり、より一層、使用マナーが向上するようになる。
また、前記携帯電話機ポイントサービスシステムは更に、携帯電話機の所定の機能を停止することが希望される場所に、携帯電話機が入ったことを検知する検知手段と、前記機能を停止する指示を取得する指示取得手段を備え、前記停止手段は、前記検知手段が検知した後に、前記指示取得手段により停止指示を受けた場合に前記停止を実行することとしてもよい。
【００１０】
これにより、携帯電話機の特定機能の制限が求められるエリアに入ってから、利用者自らが特定機能を停止することができるようになるので、自らの意思によっての使用マナーの向上が期待できるようになる。
また、前記携帯電話機ポイントサービスシステムは更に、前記携帯電話機に広告情報を送信する手段を備え、前記ポイント決定手段は、前記広告情報が再生された場合には、再生されなかった場合に比べ、より多いサービスに対応するポイントを定めることとしてもよい。
【００１１】
これにより、機能停止中に広告を視聴した場合ほど、よりよいサービスを受けることが出来るポイントが付与される。従って、利用者は、よりよいポイントを得ようと広告を視聴することとなり、その結果として、広告を出す店が増えてポイントで得られるサービスが向上することになる。この循環により、携帯電話機の使用マナーが向上するようになる。
【００１２】
また、携帯電話機は、携帯電話機の所定の機能を停止する停止手段と、前記機能が停止した位置である停止位置を記憶する手段と、前記停止手段によって停止した前記機能を起動する起動手段と、前記停止位置に関する情報を出力する手段とを備えることを特徴とする。
これにより、携帯電話機の特定機能を停止した位置に基づいて、ポイントを決定できることとなり、携帯電話機の特定機能の制限が求められるエリアにおける使用マナーの向上を図るシステムの構築が容易になる。
【００１３】
さらに、本発明に係る記録媒体を有する携帯電話機に機能停止制御を実行させるためのプログラムは、携帯電話機の所定の機能を停止する停止ステップと、前記機能が停止した位置である停止位置を前記記録媒体に記録するステップと、前記停止ステップによって停止した前記機能を起動する起動ステップと、前記停止位置に関する情報を出力するステップとを含むことを特徴とする。
【００１４】
これにより、本プログラムを携帯電話機にダウンロード等することにより、携帯電話機に機能停止制御を実行させることが出来るようになるので、携帯電話機の特定機能の制限が求められるエリアにおける使用マナーの向上を図るシステムの構築が容易になる。
また、本発明に係る入力ゲート装置と出力ゲート装置からなるシステムにおいて、入力ゲート装置は、携帯電話機が接近したことを検知する検知手段と、接近を検知した携帯電話機に機能停止に関する指示を送信する手段とを有し、出力ゲート装置は、携帯電話機が接近したことを検知する検知手段と、接近を検知した携帯電話機から機能停止の実績に関する情報を受信する手段と、前記携帯電話機に関する情報をポイントを管理するサーバに出力する手段とを有することを特徴とする。
【００１５】
これにより、携帯電話機を持った利用者が入力ゲートを通過する際に、携帯電話機に機能停止に関する指示を送信し、携帯電話機を持った利用者が出力ゲートを通過する際には、携帯電話機から機能停止の実績に関する情報を受信して、携帯電話機に関する情報をポイントを管理するサーバに出力することが出来るようになるので、携帯電話機の特定機能の制限が求められるエリアにおける使用マナーの向上を図るシステムの構築が容易になる。
【発明を実施するための最良の形態】
【００１６】
＜概要＞
本発明に係る携帯電話機ポイントサービスシステムは、携帯電話機の特定機能の制限が求められるエリア（以下、「特定エリア」という。）で、利用者が特定機能を制限した場合にポイントを付与し、利用者は貯めたポイント数に応じて様々なサービスを受けることが出来るシステムである。
【００１７】
従来から、小売店などにおいて、顧客の囲い込みを図る等を目的としてポイントサービスが導入されていた。
本発明は、携帯電話機の利用者に、特定エリア内で特定機能を制限することへの対価として、ポイントサービスというメリットを与えることによって、他人に悪影響や不快感等を与えないという携帯電話機の使用マナーの向上を図ろうとするものである。
【００１８】
また、ポイントに応じてサービスを提供する為には、サービスをする為の負担が発生することになる。しかし、例えば、ある店舗の広告を見た場合にポイントを付与することとし、サービスはその店舗が行うこととすることで、特定の者のみに負担が集中することを防ぐことができる。さらに、店舗は客が増加し、電鉄会社等はマナー向上に積極的であるという会社イメージの向上につながるという利点もある。
【００１９】
以下、電車の中での使用マナー向上を促進するためのシステムについて、説明する。
図１は、本ポイントサービスシステムの全体図である。携帯電話機の利用者の行動を追いながら、本システムを概説する。尚、本実施例における特定エリアとは、駅構内及び車内、すなわち改札口から改札口までとする。
携帯電話機１０００を所持して、電車に乗ろうとする利用者は、乗車駅の改札機２９００で改札を受け、入場ゲート２０００を通る。この入場ゲート２０００を通過してから５分後に携帯電話機１０００の通信機能が停止する。この駅では、その時間、携帯電話機の通信機能の制限が求められているからである。
【００２０】
利用者は、この５分の間に、メールを確認する、電車に乗る旨の電話をする等を行う。
その後、利用者は、電車５０００に乗車し、電車内で、入場ゲート２０００を通過した際に受け取った広告を、携帯電話機のディスプレイ１５００に表示して見る。
利用者は降車駅で電車を降り、出場ゲート３０００を通過し、改札機３９００で改札を受け、駅を出る。この時点で、携帯電話機１０００の通信機能は起動されている。
【００２１】
後日、利用者は、先日の広告の店７０００でサービスポイントを利用して、割引価格で商品を購入する。また、残ったサービスポイントで、定期券を割引価格で購入する。この際、携帯電話機には、残っているサービスポイントの値が保存される。
システムは、携帯電話機１０００が入場ゲート２０００を通過する際、乗車駅を識別する情報等と乗車駅近くの店７０００の広告等を携帯電話機１０００に送信する。
【００２２】
携帯電話機１０００は、５分の猶予後、通信機能を自動的に停止する。
また、システムは、携帯電話機１０００が出場ゲート３０００を通過した際に、停止していた携帯電話機１０００の通信機能を起動し、また、電車５０００に乗っていた区間、すなわち、機能停止区間６０００に応じたサービスポイントをサーバ４０００に送信し、保存する。
【００２３】
さらに、携帯電話機にもサーバに送信したと同じサービスポイントを送信する。携帯電話機では、サービスポイントを累積しておき、貯まったサービスポイント数がわかるようにしておく。但し、出場ゲート通過時にサービスポイントを受信する際、出場ゲートを早く抜けすぎる等によりポイントの受信に失敗する場合を考慮し、サーバに保存して在るポイント数を原本とする。店や駅等でポイントを使用した際、正しい残ポイントが携帯電話機に書き込まれる。
【００２４】
＜構成＞
以下、本発明の実施形態に係る携帯電話機について図２を用いて説明する。
図２（ａ）は、携帯電話機の構成を示す機能ブロック図であり、図２（ｂ）は、携帯電話機の１機能である入出場検知部の機能ブロック図である。
まず、図２（ａ）について、説明する。
【００２５】
携帯電話機１０００は、制御部１１００、入出場検知部１２００、機能停止部１３００、機能起動部１４００、ディスプレイ１５００、操作部１６００、広告表示部１７００及び記憶部１８００から構成される。
制御部１１００は、図示しないＣＰＵ、メモリ等を備え、通信制御等、携帯電話機に必要な一般的な制御処理を行う他、本発明に特有の処理の制御を行う。
【００２６】
入出場検知部１２００は、携帯電話機１０００が、入場ゲート２０００及び出場ゲート３０００を通過することを検知する機能を有する。この検知方法については、図２（ｂ）を用いて説明する。また、入出場検知部１２００は、入場ゲート２０００及び出場ゲート３０００とデータのやり取りを行い、制御部１１００等に各種指示を出す機能を有する。
次に、機能停止部１３００は、特定の機能を停止する機能を有する。制御部１１００から停止レベル１８１１と供に機能停止の指示を受け、その停止レベルに該当する機能を停止する。例えば、「通信」機能を停止する場合は、信号の送受信回路への信号を止める等の制御を行う。また、「電源」を切る場合は、主電源のほかに、電源を入れる場合に必要な特定回路に常時電流を供給する補助電源を設けておき、主電源の電流供給路の開閉を制御する。停止レベル１８１１については、図６（ａ）を用いて、後で説明する。
【００２７】
機能起動部１４００は、機能停止部１３００で停止した機能を起動する機能を有する。制御部１１００から停止レベル１８１１と供に機能を起動する旨の指示を受け、該当する機能を起動する。
ディスプレイ１５００は、携帯電話機が有する液晶画面であり、各種メニュー等を表示する。本発明では、広告表示部１７００から広告のデータが渡され、渡された広告のデータが表示される。広告表示部１７００については、後で説明する。
【００２８】
また、操作部１６００は、携帯電話機の入力キー等であり、メニューの選択等を行う。
次に、広告表示部１７００は、利用者のキー操作等に応じて出される制御部１１００からの指示に従い、記憶部１８００に記憶してある広告データ２２３０を読み出し、ディスプレイ１５００に表示する機能を有する。広告データ２２３０については、図４（ｂ）を用いて、後で説明する。
【００２９】
記憶部１８００は、本システムで必要な各種データを記憶しておく機能を有する。また、記憶部１８００は、記憶しているデータの入出力管理も行う。記憶部１８００に記憶している各種データについては、図６を用いて、説明する。
次に、図２（ｂ）について説明する。
入出場検知部１２００は、アンテナ１２１０及びＩＣチップ１２２０で構成される。また、ＩＣチップ１２２０は、通信部１２２１を有する。入出場検知部１２００は、いわゆる非接触ＩＣカードと同様の構成である。
【００３０】
アンテナ１２１０は、入場ゲート２０００及び出場ゲート３０００から出力される電磁波を受け、電力を生成する機能を有する。また、通信部１２２１からの電波を出力する機能を有する。通信部１２２１については、後で説明する。
ＩＣチップ１２２０のＣＰＵ（図示していない。）は、アンテナで生成された電力で起動され、入場ゲート２０００及び出場ゲート３０００とデータのやり取りを行う。ここでやり取りするデータについては、図８等を用いて、説明する。
【００３１】
また、ＩＣチップ内の通信部１２２１は、入場ゲート２０００及び出場ゲート３０００と通信を行う機能を有する。
次に、本発明の実施形態に係る入出場ゲートについて図３を用いて説明する。
図３（ａ）は、乗車駅の入場ゲートの構成を示す機能ブロック図であり、図３（ｂ）は、降車駅の出場ゲートの構成を示す機能ブロック図である。
【００３２】
まず、図３（ａ）から、説明する。
入場ゲート２０００は、通信部２１００及び記憶部２２００から構成される。
通信部２１００は、携帯電話機１０００の入出場検知部１２００を起動させるための電磁波を供給する機能と、携帯電話機１０００とデータのやり取りを行う機能を有する。
記憶部２２００は、携帯電話機１０００とやり取りするデータを記憶しておく機能を有する。また、記憶部２２００は、記憶しているデータの入出力管理も行う。記憶しているデータについては、図４を用いて、後で説明する。
【００３３】
次に、図３（ｂ）について、説明する。
出場ゲート３０００は、通信部３１００、ポイント決定部３２００、記憶部３３００及びポイント送信部３４００から構成される。
通信部３１００は、入場ゲートの通信部２１００と同様の機能を有する。すなわち、携帯電話機１０００に電磁波を供給する機能と、携帯電話機１０００とデータのやり取りを行う機能を有する。
【００３４】
ポイント決定部３２００は、通信部３１００を通して携帯電話機１０００から受け取ったデータと、記憶部３３００に記憶してあるデータとを基に、ポイントを決定する機能を有する。
記憶部３３００は、ポイント決定部３２００がポイントを決定するために必要なデータを記憶しておく機能を有する。また、記憶部３３００は、データの入出力管理も行う。記憶しているデータについては、図５を用いて、後で説明する。
【００３５】
次に、ポイント送信部３４００は、ポイント決定部３２００で決定されたポイントをサーバ４０００に送信する機能を有する。
＜データ＞
以下、本システムで用いる主なデータについて、図４〜図７を用いて説明する。
図４は、入場ゲート２０００が有するデータの構成及び内容例を示す。
【００３６】
これらのデータは、記憶部２２００に記憶されている。
図４（ａ）は、乗車駅データ２２１０の構成及び内容例を示す図である。
乗車駅データ２２１０は、乗車駅コード２２１１、停止レベル２２１２及び猶予時間２２１３で構成される。
乗車駅コード２２１１は、入場ゲートの在る駅の識別子である。乗車駅コード２２１１は、正の整数である。
【００３７】
停止レベル２２１２は、駅構内の携帯電話機の機能停止レベルを表す。このレベルは、時間帯等を基に、手動にて駅員により、あるいは各駅ごとのスケジュールにより自動で設定される。
猶予時間２２１３は、入場ゲート２０００を通過してから携帯電話機の特定機能が停止するまでの時間である。
【００３８】
ここで、携帯電話機の機能停止まで猶予をもたせるのは、駅構内に入ってから電車に乗るまでの間に、携帯電話機を使用したい場合等を考慮したものである。
尚、この猶予時間２２１３は、時間帯や駅の広さ等を基に、手動にて駅員により、あるいは各駅ごとのスケジュールにより自動で設定される。
図４（ｂ）は、広告データ２２３０の構成及び内容例を示す図であり、広告の識別子である広告ＩＤ２２３１と内容データ２２３２とで構成される。広告データ２２３０は、複数あってもよい。
【００３９】
次に、図５は、出場ゲート３０００が有するデータの構成及び内容例を示す。
これらのデータは、記憶部３３００に記憶されている。
図５（ａ）は、出場ゲートの在る駅の識別子の、降車駅コード３３１０の内容例を示す図である。
図５（ｂ）は、ポイント表３３２０の構成及び内容例を示す図である。このポイント表は、乗車駅と降車駅の行列であり、平日ラッシュ時用と平日通常時間等用の２つのデータが入っている。平日ラッシュ時は、８時から１０時までと、１７時から１９時までとする。それ以外の時間は、平日通常時間とする。
【００４０】
例えば、乗車駅の駅コードが「２」で、降車駅の駅コードが「３」の場合は、平日ラッシュ時に乗車すると、ポイントは「５」であり、土曜日に乗車すると、ポイントは「３」になる。
図６は、携帯電話機が有するデータの構成及び内容例を示す。
図６（ａ）は、停止レベル表１８１０の構成及び内容例を示す図であり、停止レベル１８１１と停止する機能１８１２とで構成される。
【００４１】
停止レベル１８１１は、特定エリアで停止が希望される機能のレベルの識別子を表している。
停止する機能１８１２は、停止する機能の内容を表している。
携帯電話機１０００は、駅構内で指定されている停止レベル１８１１の停止する機能１８１２に示す機能を停止することになる。
【００４２】
例でいえば、停止レベル１８１１が「２」の場合は、「音声通信」の機能が停止され、メール等は行えることになる。また、停止レベル「４」は、「発光」の機能が停止され、液晶画面のバックライト等がつかなくなる。映画館等で、指定される。
図６（ｂ）は、乗車駅データ１８２０の構成及び内容例を示す図である。
乗車駅データ１８２０は、乗車駅コード１８２１、停止レベル１８２２及び猶予時間１８２３で構成される。内容は、入場ゲート２０００の乗車駅データ２２１０と同じである。すなわち、乗車駅コード１８２１は、入場ゲートの在った駅の識別子を表し、停止レベル１８２２は、駅構内の携帯電話機の機能停止レベルを表し、猶予時間１８２３は、入場ゲート２０００を通過してから携帯電話機の特定機能が停止するまでの時間を表す。
【００４３】
ここで、乗車駅コード１８２１は、入場ゲート２０００を通過した場合には、正の整数である乗車駅データ２２１０が入っている。しかし、入場ゲート２０００を通過しなかった場合は、「−１」がはいっているものとする。出場ゲート３０００を通過した際に「−１」を設定する。
この乗車駅データ１８２０は、入場ゲート２０００を通過したときに、入場ゲートから送信される。
【００４４】
図６（ｃ）は、携帯電話機１０００の電話番号１８３０の内容例を示す図である。この電話番号１８３０は、サーバ４０００でポイントを管理する場合に、携帯電話機１０００の識別子として使用する。電話番号１８３０は、降車駅で出場ゲート３０００を通過する際に、出場ゲート３０００に送信される。
図６（ｄ）は、入場ゲート２０００を通過した時の時間を表す、入場時間１８４０の内容例を示す図である。入場ゲート２０００を通過した際に、携帯電話機１０００内蔵の時計の時刻を、保存する。
【００４５】
入場時間１８４０は、駅構内に入ってから、携帯電話機１０００の特定機能を停止するまでに、猶予をもたせるための基準時間として利用される。
図６（ｅ）は、視聴済広告データ１８６０の構成及び内容例を示す図である。
この視聴済広告データ１８６０は、広告数１８６１及び広告ＩＤリスト１８６２で構成される。広告ＩＤリスト１８６２には、視聴した広告データ２２３０の広告ＩＤ２２３１がリストアップされ、その視聴した広告データ２２３０の数が広告数１８６１に設定される。
【００４６】
視聴済広告データ１８６０は、携帯電話機１０００の利用者が、乗車中に広告を見たか否かの判断に使用される。
図６（ｆ）は、手動起動フラグ１８７０の内容例を示す図である。
手動起動フラグは、特定エリア内にいる間は、特定機能を停止していたか否かの判断に使用する。
【００４７】
特定エリアに入った時に、携帯電話機の機能停止部１３００が特定機能を停止し、特定エリアから出た時に、機能起動部１４００が特定機能を起動する。
携帯電話機の機能停止部１３００が、特定機能を停止した場合にのみ、手動起動フラグ１８７０をＯＦＦにする。機能停止部１３００で停止した特定機能を、利用者が起動した場合は、ＯＮにして、利用者が停止した場合は何も行わない。従って、機能起動部１４００が特定機能を起動する時に、このフラグがＯＦＦである場合は、機能停止部１３００が機能を停止してから、ずっと停止したままであったことがわかる。
【００４８】
図７は、サーバ４０００の有するデータの構成及び内容例を示す。
ポイント管理テーブル４１００は、電話番号４１１０及び累積ポイント４１２０で構成される。
電話番号４１１０は、携帯電話機１０００の電話番号であり、累積ポイント４１２０は、いままでに蓄積されているポイント数を表す。
【００４９】
電話番号４１１０とポイントは、携帯電話機１０００が出場ゲート３０００を通過する際に、出場ゲート３０００よりサーバ４０００に送信される。この送信されたポイントを、送信された電話番号と同じ電話番号４１１０に対応する累積ポイント４１２０に加算して累積ポイントとする。
＜動作＞
以下、上述したシステムの動作について図８〜図１３を用いて説明する。
【００５０】
図８は、入場ゲート２０００の処理のフローチャートを示す図である。
入場ゲート２０００の通信部２１００は、携帯電話機の存在確認用信号である電磁波を定期的に送出している（ステップＳ８０）。
すなわち、送出している信号に対して、携帯電話機１０００から応答信号があった場合（ステップＳ８１）に、入場ゲート２０００に、携帯電話機１０００が入ってきたことが確認できる。応答信号は、通信部２１００が受信する。
【００５１】
応答信号がない場合は、入場ゲート２０００に携帯電話機が入ってきていないことから、再度信号送出の処理を行う（ステップＳ８０）。
携帯電話機１０００から、応答信号があった場合は、必要なデータを携帯電話機に対して送信する（ステップＳ８２）。送信するデータは、乗車駅データ２２１０及び広告データ２２３０である。
【００５２】
詳細には、携帯電話機１０００からの応答信号を受信した通信部２１００は、記憶部２２００から送信するデータを読み出し、携帯電話機１０００に送信する。
図９は、携帯電話機の処理のフローチャートの前半部分を示す図である。
携帯電話機の処理は、大きく分けて３つある。入場ゲート通過時の処理、ゲート間の処理、出場ゲート通過時の処理である。
【００５３】
＜入場ゲート通過時の処理＞
携帯電話機１０００が入場ゲート２０００に入ると、入出場検知部１２００のアンテナ１２１０は、入場ゲートから送出されている信号である電磁波を受け、電力を生成し、ＩＣチップのＣＰＵ（図示していない。）に電力を供給する（ステップＳ９０）。
電力を供給されることで起動されたＩＣチップ１２２０のＣＰＵは、入場ゲート２０００に向けて、通信部１２２１を通して、アンテナ１２１０から応答信号を送信する（ステップＳ９１）。
【００５４】
入場ゲート２０００に対して、応答信号を送信したＩＣチップ１２２０は、入場ゲート２０００から送信されてくるデータを受信する（ステップＳ９２）。受信するデータは、乗車駅データ２２１０及び広告データ２２３０である。
ここまでが、入場ゲート２０００通過時に行う処理である。
＜ゲート間の処理＞
データを受信した入出場検知部１２００は、受信したデータのうち、乗車駅データ２２１０を記憶部１８００渡し、乗車駅データ１８２０として記憶するよう依頼する。また、入出場検知部１２００は、受信した広告データ２２３０を記憶部１８００に渡し、記憶部１８００にある作業領域に記憶するよう依頼する。
【００５５】
受信データの記憶の依頼をした入出場検知部１２００は、現時刻を記憶部１８００に渡し、入場時間１８４０として記憶するよう依頼する（ステップＳ９７）。
その後、入出場検知部１２００は、入場時間１８４０から猶予時間１８２３後に、制御部１１００に機能停止の依頼が行くように、タイマー割り込みをセットする。
例で言えば、入場時間１８４０は「１０時５０分」であり、猶予時間１８２３は「５分」であることから、１０時５５分に制御部１１００に割り込みがかかり、制御部に制御が渡ることになる。
【００５６】
入出場検知部１２００がセットしたタイマーの割り込みを受けた制御部１１００は、記憶部１８００の停止レベル１８２２を読み出す。停止レベル１８２２を読み出した制御部１１００は、読み出した停止レベルを渡し、停止レベルに対応した停止する機能１８１２の停止を、機能停止部１３００に依頼する。
制御部１１００が機能停止部１３００に特定機能の停止を依頼する際、制御部１１００が、その特定機能を利用者が使用している事を検知した場合は、利用者に対して、注意を喚起する。例えば、通話の機能を停止する場合であって利用者が通話中であれば、注意喚起音を発し、ディスプレイにメッセージを表示する等である。
【００５７】
注意を喚起された利用者は、ポイントサービスを中止する場合は、例えば、キャンセルボタンを押下する等して、ポイントサービスを中止する旨を制御部１１００に伝える。中止する旨の通知を受けた制御部１１００は、中止の処理を行う。
具体的には、乗車駅コード１８２１に「−１」を設定し、その後の処理は行わない。乗車駅コード１８２１が負の値の場合は、入場ゲートを通過しなかったことを示すからであり、仮に出場ゲートを通過しても、ポイントは付かないからである（図１２参照）。
【００５８】
制御部１１００が機能停止部１３００に特定機能の停止を依頼する際、制御部１１００が、その特定機能を利用者が使用している事を検知しなかった場合、または、利用者がポイントサービスをキャンセルしなかった場合には、制御部１１００は、機能停止部１３００に特定機能の停止を依頼する。
例で言えば、記憶部１８００の停止レベル１８２２が「１」である。停止レベル表１８１０の停止レベル１８１１が「１」に対応する停止する機能１８１２は、「着信音」であることから、制御部１１００は、機能停止部１３００にレベル「１」を渡し、「着信音」を発生させる機能の停止を依頼することになる。
【００５９】
制御部１１００から、特定機能の停止の依頼を受けた機能停止部１３００は、受け取った停止レベル１８２２を基に、停止する機能１８１２を読み出す。読み出しは、記憶部１８００に依頼する。読み出した特定機能を停止し（ステップＳ９３）、その旨を制御部１１００に通知する。
機能停止部１３００から、特定機能を停止した旨の通知を受けた制御部１１００は、手動起動フラグ１８７０をＯＦＦにする（ステップＳ９７）。
【００６０】
その後、制御部１１００は、利用者から広告を表示する操作を受け取った場合は、広告表示部１７００に対して、広告をディスプレイに表示するよう依頼する。
停止レベル１８１１が「０」の場合は、「電源」が切れているので、広告は表示されないことになる。
この広告とは、乗車駅の入場ゲート２０００を通過した際に、入場ゲートから受信し、作業領域に記憶してある広告データ２２３０である。また、利用者が行う広告を表示する操作とは、携帯電話機１０００の操作部１６００を操作して行う。例えば、ディスプレイ１５００に表示されているメニューから、広告を表示する旨の項目を選択するなどである。また、次の広告を表示する旨のボタンを押下して、次々広告を表示するなどである。
【００６１】
制御部１１００から、広告の表示依頼を受けた広告表示部１７００は、記憶部１８００に対し、作業領域に記憶してある広告データ２２３０の読み出しを依頼する。
広告データ２２３０の読み出し依頼を受けた記憶部１８００は、複数ある広告データ２２３０の先頭から１つずつ読み出して、広告表示部１７００に渡す。すなわち、１回の読み出し依頼で、１つ読み出し、次の依頼で、次の広告データを読み出すことになる。最後まで読み出した場合は、また先頭から読み出すこととする。
【００６２】
記憶部１８００から、広告データ２２３０を受け取った広告表示部１７００は、内容データ２２３２をディスプレイ１５００に表示する（ステップＳ９４）。表示完了後、広告表示部１７００は、表示依頼をした制御部１１００に対し、表示した広告の広告ＩＤ２２３１を返す。
広告表示部１７００から広告ＩＤ２２３１を受け取った制御部は、記憶部１８００に対し、広告表示部１７００から受け取った広告ＩＤ２２３１を渡し、記憶を依頼する。
【００６３】
広告ＩＤ２２３１を受け取った記憶部１８００は、視聴済広告データ１８６０の広告ＩＤリスト１８６２に受け取った広告ＩＤ２２３１を追加し、広告数１８６１に１を加算する（ステップＳ９５）。
従って、広告が一度も表示されなかった場合は、広告数１８６１は「０（ゼロ）」である。
【００６４】
この広告の表示と広告ＩＤ保存の処理（ステップＳ９４，ステップＳ９５）は、携帯電話機１０００が出場ゲート３０００に入るまでの間、繰り返し行われる（ステップＳ９６）。
また、制御部１１００は、機能停止部１３００に依頼して停止している特定機能を、利用者が手動で起動したことを検知した場合（ステップＳ９８）は、手動起動フラグ１８７０をＯＮにする（ステップＳ９９）。この手動起動フラグ１８７０がＯＮの場合は、特定機能の停止が希望される場所で特定機能が起動されたことを示し、サービスポイント決定処理で参照される（図１２参照）。
【００６５】
この停止している特定機能が起動されたことを検知し、手動起動フラグをＯＮにする処理（ステップＳ９８，ステップＳ９９）は、携帯電話機１０００が出場ゲート３０００に入るまでの間、繰り返し行われる（ステップＳ９６）。
＜出場ゲート通過時の処理＞
図１０は、携帯電話機の処理のフローチャートの後半部分を示す図である。
【００６６】
携帯電話機１０００が出場ゲート３０００に入ると、入出場検知部１２００のアンテナ１２１０は、出場ゲートから送出されている信号である電磁波を受け、電力を生成し、ＩＣチップのＣＰＵ（図示していない。）に電力を供給する（ステップＳ１１１）。
電力を供給されることで起動されたＩＣチップ１２２０のＣＰＵは、出場ゲート３０００に向けて、通信部１２２１を通して、アンテナ１２１０から応答信号を送信する（ステップＳ１１２）。
【００６７】
その後、携帯電話機１０００は、出場ゲート３０００から、データの送信を要求する信号を受信した場合（ステップＳ１１３）に、必要なデータを出場ゲートに向けて送信する（ステップＳ１１４）。データの送信を要求する信号を受信しない場合は、データ送信要求信号の受信を待つことになる。
ここで、出場ゲート３０００からのデータ送信要求信号は、アンテナ１２１０で受けて、ＩＣチップ１２２０の通信部１２２１を通して、入出場検知部１２００が受け取る。
【００６８】
出場ゲート３０００から、データ送信要求信号を受け取った入出場検知部１２００は、記憶部１８００に対し、出場ゲートに送信するデータの読み出しを依頼する。
出場ゲート３０００に送信するデータとは、乗車駅コード１８２１、停止レベル１８２２、視聴済広告データ１８６０、電話番号１８３０及び手動起動フラグ１８７０である。
入出場検知部１２００から、データの読み出し依頼を受けた記憶部１８００は、送信するデータを読み出し、入出場検知部１２００に返す。
【００６９】
送信するデータを受け取った入出場検知部１２００は、通信部１２２１を通じて、アンテナ１２１０からデータを、出場ゲート３０００に送信する（ステップＳ１１４）。
データを出場ゲート３０００に送信した入出場検知部１２００は、出場ゲート３０００からのデータを受信する（ステップＳ１１６）。ここで入出場検知部１２００が受信するデータは、今回のサービスポイントである。
【００７０】
サービスポイントを受信した入出場検知部１２００は、記憶部１８００に渡し、保存依頼をする。サービスポイントを受け取った記憶部１８００は、前回までに貯まっているポイントに加算して記憶する。
この記憶してあるポイントは、利用者の操作により表示することができる。例えば、利用者がメニューから「ポイント表示」を選択した場合、その選択を操作部１６００を通して検知した制御部１１００は、記憶部１８００から記憶しているポイントを読み出し、ディスプレイ１５００にそのポイントの表示を依頼する。
【００７１】
携帯電話機１０００が出場ゲート３０００に入ってから、ここまで、すなわちステップＳ１１１ないしステップＳ１１４、及びステップＳ１１６が、出場ゲート３０００通過時の処理である。
出場ゲート３０００からデータを受信した入出場検知部１２００は、その旨を制御部１１００に通知する。
【００７２】
入出場検知部１２００から通知を受けた制御部１１００は、機能起動部１４００に、機能停止部１３００によって停止していた機能を起動するよう依頼する。
すなわち、制御部１１００は、記憶部１８００の停止レベル１８２２を渡し、対応した停止する機能１８１２の起動を、機能起動部１４００に依頼する。
例で言えば、記憶部１８００の停止レベル１８２２が「１」である。停止レベル表１８１０の停止レベル１８１１が「１」に対応する停止する機能１８１２は、「着信音」であることから、制御部１１００は、機能起動部１４００に停止レベル「１」を渡し、「着信音」を発生させる機能の起動を依頼する。
【００７３】
制御部１１００から、機能を起動する旨の依頼を受けた機能起動部１４００は、該当する機能を起動し（ステップＳ１１５）、その旨を制御部１１００に通知する。
停止していた機能を起動させた制御部１１００は、乗車駅コード１８２１に「−１」を設定する。これは、携帯電話機１０００が特定エリア、すなわち駅構内から出たことを表している。この値は、サービスポイント決定処理（図１２  参照）で参照する。
【００７４】
次に、図１１は、出場ゲート３０００の処理のフローチャートを示す図である。
出場ゲート３０００の通信部３１００は、携帯電話機の存在確認用信号である電磁波を定期的に送出している（ステップＳ１０１）。
すなわち、送出している信号に対して、携帯電話機１０００から応答信号があった場合（ステップＳ１０２）に、出場ゲート３０００に、携帯電話機１０００が入ってきたことが確認できる。応答信号がない場合は、出場ゲート３０００に携帯電話機が入ってきていないことから、再度信号送出の処理を行う（ステップＳ１０１）。
【００７５】
携帯電話機１０００から、応答信号を受信した通信部３１００は、必要なデータの送信を要求する信号を、携帯電話機に対して送信する（ステップＳ１０３）。
データ送信要求信号を携帯電話機１０００に送信した通信部３１００は、携帯電話機１０００からデータを受信する（ステップＳ１０４）。
受信するデータは、乗車駅コード１８２１、視聴済広告データ１８６０及び電話番号１８３０である。
【００７６】
携帯電話機１０００から、データを受信した出場ゲート３０００の通信部３１００は、受け取ったデータをポイント決定部３２００に渡す。
データを受け取ったポイント決定部３２００は、受け取ったデータを基に、携帯電話機１０００に付与するポイントを決定する（ステップＳ１０５）。このサービスポイント決定処理は、図１２を用いて、後で説明する。
【００７７】
ポイント決定部３２００が決定したポイントに関するデータは、ポイント送信部３４００に渡される（ステップＳ１０７）。
ポイントに関するデータを受け取ったポイント送信部３４００は、受け取ったデータをサーバ４０００に送信する（ステップＳ１０６）。
ここで、ポイントに関するデータとは、電話番号１８３０及びポイント決定部３２００が決定したポイント数である。
【００７８】
サーバ４０００にポイントに関するデータを送信した送信部３４００は、そのポイントを携帯電話機１０００にも送信する（ステップＳ１０８）。
ポイント決定部３２００がポイントを決定しなかった場合は、何もサーバ４０００及び携帯電話機１０００に送らずに処理を終了する（ステップＳ１０７）。ポイント決定部３２００が、ポイントを決定しない場合とは、携帯電話機１０００に対してポイントを付与する条件が満たされていない場合である。次に説明するサービスポイント決定処理において、説明する。
【００７９】
次に、サービスポイント決定処理について、説明する。
図１２は、サービスポイント決定処理のフローチャートを示す図である。
本システムでポイントを付与する場合とは、携帯電話機の特定機能を停止することが希望されるエリアである特定エリアで、その特定機能を停止させていることが条件であり、さらに、特定の広告を視聴していることが条件となる。
【００８０】
但し、停止レベル１８２２が「０」で、「電源」が切られている場合は、特定の広告を視聴していることは条件とはならない。
また、付与されるポイントは、その特定機能を停止させている距離、すなわち停止した位置から停止を解除した位置まで、によって定まる。
まず、入場ゲート２０００を通過したか否かを判定する（ステップＳ１２０）。入場ゲート２０００を通過することで、特定エリアに入ったことが確認でき、また、特定機能を停止した位置を確定できるからである。
【００８１】
具体的な判断方法は、携帯電話機１０００から送信されてきたデータである乗車駅コード１８２１に「−１」が入っていれば、入場ゲート２０００は通過していない。乗車駅コード１８２１は通常、正の整数であり、出場ゲート３０００で、「−１」を設定しているからである。乗車駅コード１８２１に正の整数が入っていれば、入場ゲート２０００を通過していることになる。
【００８２】
入場ゲート２０００を通過していた場合は、携帯電話機１０００が停止させた機能を利用者が手動で起動させたか否かを判定する（ステップＳ１２１）。特定エリア内で、本システムによって特定機能を停止した位置から本システムによって起動した位置まで、ずっとその特定機能を停止させていなければマナーを守っていたとはいえないからである。
具体的な判断方法は、手動起動フラグ１８７０がＯＮになっていれば、利用者が手動で停止している特定機能を起動させたことになる。このフラグは、手動で起動させたときにのみＯＮとし、その後に手動で停止させたとしてもＯＦＦにはしないので、このフラグがＯＦＦであれば、入場ゲートから出場ゲートまで特定機能は停止していたことになる。
【００８３】
次に、手動で特定機能を起動していなかったと判断した場合は、所定の広告を視聴したか否かを判断する。但し、停止レベルが「０」で電源が切れている場合は、所定の広告を視聴していたか否かは判断しないでポイントを決定する。
具体的には、広告数１８６１が１以上であれば、広告を視聴したと判断する。従って、停止レベル１８１１が「０」の場合と、停止レベルが「０」以外であって、広告数１８６１が１以上の場合は、広告を視聴したと判断する。
【００８４】
広告を視聴したと判断した場合は、乗車駅と降車駅に基づいてポイント数を決定する（ステップＳ１２３）。
ポイント数の決定は、出場ゲート３０００の記憶部３３００に記憶しているポイント表３３２０で求める。携帯電話機１０００から受信した乗車駅コード１８２１、記憶部３３００に記憶している降車駅コード３３１０及び出場ゲートを通過した時間、すなわち現時刻から求める。
【００８５】
例でいえば、現在が平日の１１時であり、乗車駅コードが「２」、降車駅コードが「４」であるとすれば、ポイント数は「５」となる。
図１３は、入出場ゲートと携帯電話機との信号のやり取りを示す図である。
図１３（ａ）は、入場ゲート２０００と携帯電話機１０００のやり取りを示す図であり、図１３（ｂ）は、出場ゲート３０００と携帯電話機１０００のやり取りを示す図である。
【００８６】
まず、図１３（ａ）について、説明する。
入場ゲート２０００は、常に携帯電話機の存在確認用の信号を、定期的に送出している。
携帯電話機１０００は、入場ゲートの近くに来て、入場ゲートが送出している存在確認用信号を受信すると、受信した存在確認用信号に対して応答用信号を発信する。その応答信号を入場ゲートが受信した時点で、入場ゲート２０００と携帯電話機１０００とのトランザクションが開始される。
【００８７】
入場ゲート２０００は、携帯電話機１０００に対して、必要なデータを送信する。一方、携帯電話機１０００は、入場ゲートから送信されてくるデータを受信し、処理を行う。
これで、入場ゲート２０００と携帯電話機１０００とのやり取りは、終了する。
次に、図１３（ｂ）について、説明する。
出場ゲート３０００も、入場ゲート２０００と同様に、常に携帯電話機の存在確認用の信号を、定期的に送出している。
【００８８】
携帯電話機１０００は、出場ゲートの近くに来て、出場ゲートが送出している存在確認用信号を受信すると、受信した存在確認用信号に対して応答用信号を発信する。その応答信号を入場ゲートが受信した時点で、出場ゲート３０００と携帯電話機１０００とのトランザクションが開始される。ここまでは、入場ゲートにおける処理と同様である。
トランザクションが開始されると、出場ゲート３０００は、データを受信する準備をし、携帯電話機１０００に対してデータの送信要求用信号を送信する。
【００８９】
データの送信要求用信号を受信した携帯電話機１０００は、必要なデータを出場ゲート３０００に対して送信する。
その後、出場ゲート３０００は、決定したポイントを携帯電話機１０００に送信する。携帯電話機１０００は、ポイントを受信する。
これで、出場ゲート３０００と携帯電話機１０００とのやり取りは、終了する。
【００９０】
＜補足＞
以上、本発明に係る携帯電話機ポイントサービスシステムについて実施形態に基づいて説明したが、この携帯電話機ポイントサービスシステムを部分的に変形することもでき、本発明は上述の実施形態に限られないことは勿論である。即ち、
（１）実施形態では、入出場ゲートは改札機に続いて通過することとなっているが、改札機と離れた場所にあってもよい。例えば、ホームに上がるエレベータの前、キオスクの前などである。但し、機能が制限されるエリアを特定できるようにゲートを配置する必要がある。
【００９１】
この場合、改札機を通ってしまっていても、ポイントを得ることができ、また、特定エリアを必要な部分に限定できるので、より一層のマナー向上が期待できるようになる。
（２）実施形態では、広告データは入場ゲートから携帯電話機に送信しているが、入場ゲートを通過したことをトリガーとして、メール等で広告データを携帯電話機に送信することとしてもよい。
【００９２】
この場合、入場ゲートは、携帯電話機の入出場検知部からメールアドレス又は電話番号を受信し、そのメールアドレス又は電話番号宛に広告メールを送信する。広告メールの送信は、入場ゲートから電話番号を受け取ったサーバ等が行ってもよい。携帯電話機は、広告メールを表示したか否かを記憶しておき、出場ゲート通過時に出場ゲートに対して送信する。
【００９３】
また、この場合の、入出場検知部の機能及び電話番号を携帯電話機ではなく、例えば携帯ストラップに持たせてもよい。このような構成とすることにより、既存の携帯電話機を用い、必要なソフトウェアをネットからダウンロードする等により本システムを利用することが出来るようになる。
（３）実施形態では、機能の停止／起動のタイミングをＩＣチップ等で得ることとしているが、他の無線によって行ってもよい。
【００９４】
この場合、電波の出力は、ゲート通過時に、携帯電話機と入出場ゲートがデータのやり取り可能な程度の出力でよい。
またさらに、実施形態のように、機能の停止／起動のタイミングを外部から受け付けるのではなく、利用者が特定機能の停止／起動を行い、その位置をＧＰＳ（Global Positioning System）等で検知してもよい。
【００９５】
この場合は、例えば、機能停止部１３００と機能起動部１４００は、利用者の操作によって動作し、そのときの停止位置と起動位置、停止した機能、時間等の情報を記憶しておく。その後、それらの必要なデータをサーバに送信し、サーバ側でポイントを決定し保存しておく。そのポイントは、適時、携帯電話機に送信され、利用者はポイント数を確認することができる。
【００９６】
具体的には、例えば、高速道路上を走行中に、携帯電話機の電源を停止した位置と電源を入れた位置を基にサービスポイントを付与することが考えられる。運転中に使用マナーを守ったことに対する対価としてポイントを付与することで、運転中のマナー向上に寄与する。
（４）実施形態では、携帯電話機の特定機能は、入場ゲート通過後所定時間経過後に、停止されることとしているが、この所定時間経過前に、手動でその機能を停止することとしてもよい。
【００９７】
この場合、この所定時間経過前に、機能停止部１３００と同様の動作をするコマンドを用意する必要がある。機能を停止したことを確認するため、及び、特定の機能をすべて停止するためである。
（５）実施形態では、入出場ゲートと携帯電話機とのやり取りにおいて、相互確認をしていないが、相互確認を行ってもよい。
（６）実施形態では、駅構内及び電車内でのマナー向上を促進する例を述べているが、映画館や劇場等であってもよい。
【００９８】
この場合、映画館入口に入場ゲートを設置し、映画の開始時間に特定機能を停止する。また、映画館の出口に出場ゲートを設置し、停止させた特定機能を起動する。付与するポイントは、停止位置と起動位置との距離に基づくのではなく、停止位置と起動位置が同じ館内か否か、見た映画の上映時間や人気度等によって定める。
またさらに、電車以外に、バス、乗用車等の乗り物等において、携帯電話機の使用マナーの向上の促進に使用してもよい。
（７）実施形態では、停止レベルに対応する携帯電話機の停止する機能は、予め定められているが、利用者が停止レベルごとに停止する機能を定めることができるようにしてもよい。
【００９９】
この場合、停止レベルごとに停止する機能を設定する手段が必要になる。
利用者が自ら、自分の仕事等の都合に合わせて、停止する機能を設定することが出来ることで、よりマナーの向上を促進できる。例えば、在る時間帯の電車の中では、通話機能と着信音機能が停止されるのが標準である場合、通話機能と音声着信音機能は停止し、メール着信音機能だけは停止しないように設定することができるようにである。
（８）実施形態では、ポイントで得ることが出来るサービスは、広告を出した店舗での商品購入時の割引や電車の定期券の割引としているが、その他の、電車の乗り越し料金の割引や物品との交換等であってもよい。
（９）実施形態では、平日ラッシュ時とそれ以外の時間とで、付与するポイントが異なることとしているが、停止レベル等によって付与するポイントが異なることとしてもよい。
（１０）実施形態で示した携帯電話機ポイントサービスシステムの各機能を実現させる為の各制御処理（図８等参照）をＣＰＵに実行させる為のプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施形態で示した携帯電話機ポイントサービスシステムの各機能が実現される。
【産業上の利用可能性】
【０１００】
携帯電話機の特定機能の制限が希望されるエリアにおいて、利用者の携帯電話機使用マナーの向上を促進する技術として有用である。
【図面の簡単な説明】
【０１０１】
【図１】本ポイントサービスシステムの全体図である。
【図２】携帯電話機の構成を示す機能ブロック図である。
【図３】乗車駅の入場ゲート、降車駅の出場ゲートの構成を示す機能ブロック図である。
【図４】入場ゲートが有するデータの構成及び内容例を示す。
【図５】出場ゲートが有するデータの構成及び内容例を示す。
【図６】携帯電話機が有するデータの構成及び内容例を示す。
【図７】サーバの有するデータの構成及び内容例を示す。
【図８】入場ゲートの処理のフローチャートを示す図である。
【図９】携帯電話機の処理のフローチャートの前半部分を示す図である。
【図１０】携帯電話機の処理のフローチャートの後半部分を示す図である。
【図１１】出場ゲートの処理のフローチャートを示す図である。
【図１２】サービスポイント決定処理のフローチャートを示す図である。
【図１３】入場ゲートと携帯電話機、出場ゲートと携帯電話機の信号のやり取りを示す図である。
【符号の説明】
【０１０２】
１０００    携帯電話機
１１００    制御部
１２００    入出場検知部
１２１０    アンテナ
１２２０    ＩＣチップ
１２２１  ２１００  ３１００    通信部
１３００    機能停止部
１４００    機能起動部
１５００    ディスプレイ
１６００    操作部
１７００    広告表示部
１８００  ２２００  ３３００    記憶部
１８１０    停止レベル表
１８２０    乗車駅データ
１８３０    電話番号
１８４０    入場時間
１８６０    視聴済広告データ
１８７０    手動起動フラグ
２０００    入場ゲート
２２１０    乗車駅データ
２２３０    広告データ
２９００ ３９００    改札機
３０００    出場ゲート
３２００    ポイント決定部
３３１０    降車駅コード
３３２０    ポイント表
３４００    ポイント送信部
４０００    サーバ
４１００    ポイント管理テーブル
５０００    電車
６０００    機能停止区間
７０００    店
【図１】
2005167736.tif 000003
【図２】
2005167736.tif 000004
【図３】
2005167736.tif 000005
【図４】
2005167736.tif 000006
【図５】
2005167736.tif 000007
【図６】
2005167736.tif 000008
【図７】
2005167736.tif 000009
【図８】
2005167736.tif 000010
【図９】
2005167736.tif 000011
【図１０】
2005167736.tif 000012
【図１１】
2005167736.tif 000013
【図１２】
2005167736.tif 000014
【図１３】
2005167736.tif 000015